(57)【要約】【課題】伝送路が外来ノイズ等により、ＣＤ断を検出することなく、継続的にフレームが正常受信できなくなる障害が発生した場合は、その伝送路の障害を認識することができず、そのため障害箇所の迂回するための復旧処置がとれなかった。【解決手段】一定時間内の間隔でループ伝送路にフレームを送信する２重ループ型ネットワークシステムにおいて、各ループ伝送路から受信するフレームの受信間隔を監視し、一定時間を越えても正常にフレームを受信できなかった場合、伝送路に障害が発生したと認識し、異常を検出したループ伝送路の下流へ特殊パターンを連続送信し、それを受信した下流の２次局装置はその特殊パターンを下流へ中継していき、最終的に１次局装置で特殊パターンを受信することにより、ループ伝送路の障害を検出するようにした。【選択図】図２
2008011156.tif 000002
【特許請求の範囲】
【請求項１】
２重化されたループ型の伝送路に親局となる一つの１次局装置と子局となる複数の２次局装置とが接続されてなる２重ループ型ネットワークシステムであって、
上記２次局装置は、伝送路の障害発生を検出した場合には、この検出に応じて自発的かつ通常のデータ伝送とは非同期に障害発生情報を上記伝送路の下流に向けて送信する障害発生通知手段と、上記障害発生情報を受信した場合にはこれをさらに下流の伝送路に中継する中継手段とを備える２重ループ型ネットワークシステムにおいて、
所定時間を越えて正常なフレームを検出できないフレーム不受信を伝送路の障害発生として検出することを特徴とする２重ループ型ネットワークシステム。
【請求項２】
上記１次局装置は、２重化された各伝送路から共に障害発生情報を受信した場合には、これに応じて各伝送路にループバック命令を送出するように構成されており、また上記２次局装置は、上記ループバック命令を受信した場合に自装置の障害検出状況と照らし合わせてループバックを行うループバック制御手段を備えることを特徴とする請求項１に記載の２重ループ型ネットワークシステム。
【請求項３】
上記障害発生通知手段は、伝送路の障害発生を検出した場合には、これに応じて障害発生情報として特殊ビットパターンＡを送信するものである一方、上記ループバック制御手段は、障害発生を検出しかつループバック命令を受信した場合にループバック制御を行うものであることを特徴とする請求項２に記載の２重ループ型ネットワークシステム。
【請求項４】
上記障害発生通知手段は、伝送路の障害発生を検出した場合には、これに応じて障害発生情報として特殊ビットパターンＢを送信し、また特殊ビットパターンＢを受信した場合には、これに応じて特殊ビットパターンＢとは異なる特殊ビットパターンＡを送信するものである一方、上記ループバック制御手段は、上記特殊ビットパターンＢを受信しかつループバック命令を受信した場合にループバック制御を行うものであることを特徴とする請求項２に記載の２重ループ型ネットワークシステム。
【発明の詳細な説明】
【技術分野】
【０００１】
この発明は、１次局装置と複数の２次局装置が２重化されたループ状の伝送路を介して接続され、ＳＤＬＣ（Synchronous Data Link Control）通信方式にてデータ伝送を行う２重ループ型ネットワークシステムに関するもので、特に伝送路に対する継続的な外部要因による障害を検出するようにしたものである。
【背景技術】
【０００２】
ＳＤＬＣ通信方式を使った２重ループ型ネットワークシステムは、１台の１次局装置（親局）と分散設置された複数の２次局装置（子局）とを、互いに逆方向のループ型の伝送路で２重化しておき、一方の伝送路の途中が切断事故などによる伝送路の障害が発生した場合には他方の伝送路を使用し、また、両伝送路の途中が共に障害が生じた場合には、その障害発生箇所を迂回するように一方の伝送路から他方の伝送路にループバックさせることによりネットワークの信頼性を高めるようにしたものである。
【０００３】
このような２重ループ型ネットワークシステムにおいて、従来のループ伝送路の障害の検出は、キャリアが検出されなくなった（以下、ＣＤ断と称する）場合にのみ、ループ伝送路に障害が発生したと判断していた。障害発生を検出するための技術としては、ＣＤ断を検出した２次局装置は、ＣＤ断を検出したループ伝送路の下流へ通常のデータ伝送とは違う特殊パターンを連続送信し、それを受信した下流の２次局装置はその特殊パターンを下流へ中継していき、最終的に１次局装置で特殊パターンを受信した時、ループ伝送路に障害が発生していることを検出するものである。（特許文献１参照）
【０００４】
またノードをリング状に結合したＡＴＭネットワークシステムにおいて、運用開始前または運用中の障害発生時に２次局装置が自発的に試験データを送信し、１次局装置を経由して戻ってきた試験データと送信した試験データを比較し、その異同によって伝送路の障害を検出する方式も知られている。（特許文献２参照）
【特許文献１】特開２００５−３３３５０５号公報
【特許文献２】特開平１１−３５５２７５号公報（８頁右欄〜９頁、図９）
【発明の開示】
【発明が解決しようとする課題】
【０００５】
特許文献１記載の従来技術においては、ループ伝送路の障害検出方式は、ＣＤ断が検出された場合のみ障害検出とするもので、たとえば、ＣＤ断は検出されないが、伝送路が外来ノイズ等により回線渋滞状態が生じて、伝送フレームのデータ化けが発生し、継続的に伝送フレームの喪失が発生していた場合、伝送路の障害を検出できず、復旧措置がとれないという問題点があった。
【０００６】
特許文献２記載の従来技術は、この発明の伝送方式であるＳＤＬＣ通信方式に適用しようとすると、２次局装置がフレームを送信する場合、１次局装置からのポーリングフレーム受信したタイミングでのみ送信することができるため、２次局装置が自発的に自己のタイミングでループ伝送路に通常のデータ伝送としては送出することができないという問題があった。また、ＳＤＬＣ通信方式においては、信号は１次局装置で終端するため、試験データが１次局装置を経由して発信元へ戻るということはなく、特許文献２の技術をこの発明に適用することはできなかった。
【０００７】
この発明は、上記のような課題を解決するためになされたものであり、ＣＤ断ではないが、伝送路に対する継続的な外部要因による障害のような伝送路障害が検出可能になるとともに、障害検出により素早く復旧措置を実施でき、性能向上と伝送効率のよい２重ループ型ネットワークシステムを得ることを目的とするものである。
【課題を解決するための手段】
【０００８】
この発明は、２重化されたループ型の伝送路に親局となる一つの１次局装置と子局となる複数の２次局装置とが接続されてなる２重ループ型ネットワークシステムであって、上記２次局装置は、伝送路の障害発生を検出した場合には、この検出に応じて自発的かつ通常のデータ伝送とは非同期に障害発生情報を上記伝送路の下流に向けて送信する障害発生通知手段と、上記障害発生情報を受信した場合にはこれをさらに下流の伝送路に中継する中継手段とを備える２重ループ型ネットワークシステムにおいて、所定時間を越えて正常なフレームを検出できないフレーム不受信を伝送路の障害発生として検出するようにしたものである。
【発明の効果】
【０００９】
この発明によれば、伝送路が外来ノイズ等により、ＣＤ断ではないが、継続的に伝送フレームを正常に受信できなくなるような障害が発生した場合、この検出に応じて自発的に通常のデータ伝送とは非同期に障害発生情報を伝送路の下流に向けて送信し、最終的に１次局装置に障害発生情報を伝えて、１次局装置は障害の検出が可能となる。またこの障害検出により素早く復旧措置を実施でき、性能向上と伝送効率のよい２重ループ型ネットワークシステムを得ることができる。
【発明を実施するための最良の形態】
【００１０】
実施の形態１
以下、この発明の実施の形態を図に基づいて説明する。図１はこの発明の実施の形態１における２重ループ型ネットワークシステムの全体構成を示すブロック図、図２は同システムを構成する２次局装置の構成を示すブロック図、図３は２次局装置から障害発生検出時に送出される特殊ビットのパターンの一例を示す説明図である。
図１に示すネットワークシステムおいては、伝送路の監視・制御を行う親局となる１台の１次局装置１０と、分散設置された子局となる複数（図では３台）の２次局装置１１〜１３と、これら１次局装置１０と２次局装置１１〜１３をループ状に順次接続する通信路１０１〜１０４、２０１〜２０４とで構成されている。
通信路１０１〜１０４は反時計回りのループ伝送路で、Ａルートを構成し、通信路２０１〜２０４は時計回りのループ伝送路で、Ｂルートを構成し、データ伝送方向が互いに逆方向で２重化されている。
【００１１】
Ａループ伝送路の接続として、１次局装置１０は通信路１０１を介して２次局装置１１に接続されており、２次局装置１１は通信路１０２を介して２次局装置１２に接続されており、２次局装置１２は通信路１０３を介して２次局装置１３に接続されており、２次局装置１３は通信路１０４を介して１次局装置１０に接続されている。
また、Ｂループ伝送路の接続として、１次局装置１０は通信路２０１を介して２次局装置１３に接続されており、２次局装置１３は通信路２０２を介して２次局装置１２に接続されており、２次局装置１２は通信路２０３を介して２次局装置１１に接続されており、２次局装置１１は通信路２０４を介して１次局装置１０に接続されている。
【００１２】
上記の２次局装置１１〜１３の各々は、図２に示すように、受信部Ｒと送信部Ｓを有する２つの入出力手段２１、２２と、データ生成手段２３と、中継手段２４と、ループバック制御部２５とを備えている。
両入出力手段２１、２２の内、一方の入出力手段２１は、受信部ＲがルートＡに、送信部ＳがルートＢにそれぞれ接続され、また、他方の入出力手段２２は、受信部ＲがルートＢに、送信部ＳがルートＡにそれぞれ接続されている。また、各入出力手段２１、２２の受信部Ｒは、常時、各ルートＡ、Ｂ上のキャリアの有無をチェックしており、キャリアが検出されなくなった場合（以下、ＣＤ断と称する）には、これに応じてＣＤ断検出信号をデータ生成手段２３およびループバック制御部２５に与えてＣＤ断を認識させるようになっている。
【００１３】
データ生成手段２３は、他の２次局装置あるいは１次局装置１０に対して送信が必要なデータを保持している場合、このデータを入出力手段２１または２２の送信部Ｓを介してルートＡまたはルートＢに向けて送信する。また、このデータ生成手段２３は、各入出力手段２１、２２がＣＤ断を検出してルートＡまたはルートＢの障害発生が検出された場合、入出力手段２１、２２からのＣＤ断検出信号をＣＤ断検出部２３１で受けて、特殊パターン発生部２３２からこれに応じて自発的に障害発生情報となる特殊ビットパターンＡを発生する。発生した特殊ビットパターンＡは通常のデータ伝送とは非同期に繰り返して連続的に入出力手段２１または２２の送信部ＳからルートＡまたはルートＢに向けて送信する。
【００１４】
また、このデータ生成手段２３は、各ループ伝送路から受信するフレームの受信間隔を監視するフレーム監視回路２３３を有し、外来ノイズ等による継続的な伝送フレームの喪失を監視して、所定時間を越えても正常な伝送フレームを受信できなかった場合、伝送路に障害が発生したものと認識する。フレーム監視回路２３３が障害を検知すると、特殊パターン発生部２３２に検知信号を送り、特殊パターン発生部２３２はこれに応じて自発的に障害発生情報となる特殊ビットパターンＡを発生する。発生した特殊ビットパターンＡは自発的かつ通常のデータ伝送とは非同期に、即ち能動的に入出力手段２１または２２の送信部ＳからルートＡまたはルートＢに向けて当該伝送路の下流２次局装置に対して連続送信する。このようにデータ生成手段２３は、フレーム不受信の障害を検出し、特殊パターンを発生する障害発生通知手段も兼用している。
【００１５】
この場合の特殊ビットパターンＡは、図３（ａ）に示すように、「０１１１１１１００１１１１１１０」（１６ビット）からなる。つまり、「０１１１１１１０」（８ビット）のビット配列からなるフラグパターンＦの２つを１組として構成されている。このビット配列は、ＳＤＬＣ通信でのフラグパターンを意味しており、通信制御ＬＳＩでは、各入出力手段２１、２２の受信部Ｒが、他の２次局装置から送られてくるこのビット配列を検出しても、単なるフラグとして認識するだけで通信エラーにはならない。
【００１６】
中継手段２４は、スイッチ回路２４１を備えており、ループバック制御部２５によるループバック制御が行われない場合には、ルートＡで受信したデータを同じルートＡに送信し、ルートＢで受信したデータを同じルートＢに送信するようにスイッチ回路２４１が接続される。特殊ビットパターンＡを受信する場合も同様に、ループバックされない限り同じルートＡまたはルートＢで特殊ビットパターンＡが中継されるようにスイッチ回路２４１が接続される。さらに、ループバック制御部２５によりループバック制御が行われた場合には、ルートＡで受信したデータをルートＢへ、あるいはルートＢで受信した伝送データをルートＡへループバックするようにスイッチ回路２４１が切替えられる。
【００１７】
ループバック制御部２５は、入出力手段２１または２２で受信した特殊ビットパターンＡを検出する特殊パターン検出部２５１を有し、ルートＡまたはルートＢの障害発生を検出する。また１次局装置１０から送られてくるループバック命令を受信するループバック命令受信部２５２を有し、ループバック命令を受信した時に、スイッチ切替制御部２５３に信号を送り、中継手段２４のスイッチ回路２４１を切替えてループバックを行うように構成されている。
またループバック制御部２５は、入出力手段２１、２２からのＣＤ断検出信号を受けるＣＤ断検出部２５４を有し、ＣＤ断の障害が起きたことを報知すると共に、各種制御が行われる。
【００１８】
なお、１次局装置１０は、図２に示した２次局装置１１〜１３と基本的に同じ構成を備えているが、以下の点が２次局装置１１〜１３の構成と異なる。すなわち、データ生成手段２３は、２次局装置１１〜１３に対して一定時間内に必ず通常のデータ伝送方式によりフレーム送信するフレーム送信部を有している。またデータ生成手段２３は、各ルートＡ、Ｂから共に障害発生情報としての特殊ビットパターンＡを受信した場合には、これに応じてルートＡ、Ｂの双方に同時にループバック命令を送出するループバック命令発信部を有している。
なお、１次局装置１０で所定時間を越えても正常に伝送フレームを受信できない場合も、障害発生情報を受信した場合に含むとする。
【００１９】
以下、この発明の実施の形態１における動作を図４乃至図８に基づいて説明する。
ＳＤＬＣ通信方式において、１次局装置１０からルートＡまたはルートＢに送信されるフレームは、図４に示すように、「０１１１１１１０」のビット配列による開始フラグＳＦで始まり、アドレス部Ａ、制御部Ｃ、情報部ＩＮＦ、フレームの健全性をチェックするためのフレームチェックシーケンスＦＣＳと、「０１１１１１１０」のビット配列の終結フラグＥＦで終了する構成となっている。そして、このフレームに引き続きマーク状態（オール”１”）の７ビット「１１１１１１１」が送出される。終結フラグＥＦの最後の“０”（１ビット）と、それに引き続いて送出されるマーク状態である最初の７個の“１”のビット構成、すなわち「０１１１１１１１」（計８ビット）のビット配列が重要な意味を持ち、ＳＤＬＣ通信で本ビット配列のことをＧＡ（ＧｏＡｈｅａｄ）パターンと呼び、これが２次局装置におけるフレーム送信動作の唯一のタイミングとなる。
【００２０】
まずルートＡおよびルートＢの両ループ伝送路に障害発生がなくていずれも正常な場合、１次局装置１０はＡループまたはＢループ双方のループ伝送路にて各２次局装置１１〜１３とデータ通信を行うことができる。（図１の状態）
この場合、各２次局装置１１〜１３は自己が送信するデータを所持しない場合、中継手段２４がルートＡで受信したフレームをルートＡに送信し、また、ルートＢで受信したフレームをルートＢに送信する。一方、各２次局装置１１〜１３は自己が送信するデータを所持している場合、データ生成手段２３は、ルートＡあるいはルートＢから送信されてくるフレームを受信してＧＡパターンを認識すると、このＧＡパターンの最後の“１”を“０”に変更した後、これを開始フラグＳＦとして自装置のフレーム送信を始め、ＧＡパターンの送出をもってフレームの送信完了とする。このように、各２次局装置１１〜１３は、前のフレームの終結フラグＥＦの最後の“０”が次のフレームの開始フラグの最初の“０”を兼ね、またＧＡパターンの最後の“１”を“０”に変更することで、次のフレームの開始フラグの最後の“０”となるようにして、フレームがルートＡまたはルートＢに伝送される。
【００２１】
次に図５に示すように、互いに隣接する２次局装置１１、１２間を結ぶルートＡの途中の１つの通信路１０２でフレーム不受信の障害が発生した場合に例をとって、その障害復旧動作を説明する。
ルートＡの途中の通信路１０２に外来ノイズによる障害が発生し、２次局装置１２の入出力手段２１の受信部ＲではＣＤ断は検出しないが、２次局装置１２のデータ生成手段２３のフレーム監視回路２３３で一定時間正常なフレームが受信できなくなったこと（以下、フレーム不受信と称する）を検出すると、これに応じて特殊パターン発生部２３２に信号を送り、特殊パターン発生部２３２は特殊ビットパターンＡを送出する。２次局装置１２は入出力手段２２の送信部Ｓを介して特殊ビットパターンＡをＡループ伝送路の下流の通信路１０３に送出する。
【００２２】
通信路１０３から特殊ビットパターンＡを受信した２次局装置１３では、入出力手段２１の受信部Ｒ、中継手段２４、入出力手段２２の送信部Ｓを順次介して、そのままＡループ伝送路の下流の通信路１０４に特殊ビットパターンＡを送出する。
１次局装置１０は、最後の２次局装置１３からＡループ伝送路の通信路１０４を介して送られてくる特殊ビットパターンＡをループバック制御部の特殊パターン検出部２５１で受信することにより、Ａループ伝送路にて障害が起きていることを認識できる。
ＳＤＬＣ伝送方式においては、２次局装置１２がループ伝送路に通常のデータ伝送をすることなく、自発的に自己のタイミングで特殊ビットパターンＡを送出して伝送路に障害が起きていることを１次局装置１０に通知することができる。
【００２３】
この状態ではＢループの系が正常であるため、１次局装置１０はルートＢから特殊ビットパターンＡを受信することはない。したがって、１次局装置１０はループバック命令を出力せず、ルートＢを用いたデータ通信を各２次局装置１１〜１３と行うことができる。
また、ループ伝送路の上流の装置で特殊ビットパターンＡが送出されている間、ループ伝送路の下流の２次局装置１３では、正常なフレームを受信することができなくなるため、下流の２次局装置１３では特殊パターン検出部２５１で特殊ビットパターンＡを受信している間、フレーム受信間隔の監視機能を無効にする。
【００２４】
次に、図６に示すように、互いに隣接する２次局装置１１、１２間を結ぶルートＡの通信路１０２及びルートＢの通信路２０３の双方に同時にフレーム不受信の障害が発生した場合に例をとって、その障害復旧動作を説明する。
２次局装置１１、１２間を結ぶルートＡの通信路１０２の障害発生による処理動作は上述の通りであり、１次局装置１０は特殊ビットパターンＡを受信することでルートＡの障害を認識する。
【００２５】
また通信路２０３で障害が発生し、２次局装置１１の入出力手段２２の受信部ＲではＣＤ断は検出しないが、２次局装置１１のデータ生成手段２３のフレーム監視回路２３３が一定時間正常なフレームを受信できなくなったこと（以下、フレーム不受信と称する）を検出すると、これに応じて特殊パターン発生部２３２は特殊ビットパターンＡを送出する。２次局装置１１のデータ生成手段２３から送出された特殊ビットパターンＡは入出力手段２１の送信部Ｓを介して自立的にＢループ伝送路の下流の通信路２０４に送出する。同時に２次局装置１１は自立的にＢループ伝送路の信号状態をＣＤ断状態とする。１次局装置１０では２次局装置１１から通信路２０４を通じて特殊ビットパターンＡを受信することにより、ルートＢの障害発生を認識する。
こうして１次局装置１０の特殊パターン検出部２５１は、Ａ、Ｂループ伝送路の双方から特殊ビットパターンＡを受信するので、双方のルートＡ、Ｂの伝送路に障害が起きていることを認識できる。
【００２６】
１次局装置１０は、ＡおよびＢループ伝送路の双方で伝送路の障害が発生していることから、図７に示すように、ループバック制御部２５のループバック命令発信部（図示せず）より「ループバック命令」をルートＡ、ルートＢの双方に送出する。２次局装置１１では、通信路１０１からループバック制御部２５のループバック命令受信部２５２で「ループバック命令」を受け取る。同じ２次局装置１１のループバック制御部２５の特殊パターン検出部２５１では、既に通信路２０３がフレーム不受信でＣＤ断であることを検出しており、２次局装置１２には通信できないと考え、自装置内でループバック制御を行う。このようにループバック制御部２５は、ループバック命令を受信した場合に自装置の障害検出状況と照らし合わせてループバックを行う。このループバック制御は切替制御部２５３に信号を送り、中継手段２４のスイッチ回路２４１を切替えてルートＡの通信路１０１とルートＢの通信路２０４とを接続してループバックできるようにする。
【００２７】
一方、二次局装置１３も通信路２０１から「ループバック命令」を受信し、ループバック制御部２５に取り込む。二次局装置１３のループバック制御部２５は、通信路１０３がＣＤ断ではないため、ループバック処理は行わない。このため中継手段２４を介して通信路２０２に「ループバック命令」をそのまま中継する。２次局装置１２では通信路２０２からループバック制御部２５のループバック命令受信部２５２で「ループバック命令」を受け取る。同じ２次局装置１２のループバック制御部２５の特殊パターン検出部２５１では、既に通信路１０２がフレーム不受信でＣＤ断であることを検出しており、２次局装置１１には通信できないと考え、自装置内でループバック制御を行う。このループバック制御は切替制御部２５３に信号を送り、中継手段２４のスイッチ回路２４１を切替えてルートＡの通信路１０３とルートＢの通信路２０２とを接続してループバックできるようにする。
【００２８】
したがって、互いに隣接する２次局装置１１、１２間を結ぶルートＡの通信路１０２とルートＢの通信路２０３の双方に同時にフレーム不受信の障害が発生した場合、最終的には図８に示すように、各２次局装置１１、１２においてそれぞれ伝送データがループバックされるようになり、迅速に通信が復旧される。
なおキャリアが検出されなくなった（以下、ＣＤ断と称する）場合のループ伝送路の障害の検出および復旧動作については、この発明の特徴ではなく、特許文献１に詳細に記載されているので、説明は省略する。
【００２９】
このようにこの発明の実施の形態１では、互いに隣接する２次局装置１１と２次局装置１２間を結ぶルートＡ、Ｂの通信路１０２、２０３の双方に、ＣＤ断は検出しないが、所定時間正常なフレームが受信できなくなる障害が発生した場合でも、各２次局装置１１、１２が自発的に通常のデータ伝送とは非同期に特殊パターンＡを送信するので、この特殊パターンＡを１次局装置１０が受信した時に通信路に障害が起きていることを検出することが出来る。このため、１次局装置はすぐに伝送路の障害を迂回するべき復旧処置を実行することができる。
【００３０】
実施の形態２
この実施の形態２において、２次局装置は図２と同様に、２つの入出力手段２１、２２と、データ生成手段２３と、中継手段２４と、ループバック制御部２５とで構成されている。但し、この実施の形態２の場合、データ生成手段２３の特殊パターン発生部２３２の動作が実施の形態１とは異なる。即ち、データ生成手段２３の特殊パターン発生部２３２は、ルートＡ、Ｂのフレーム不受信などの障害発生を検出した場合には、これに応じて障害発生情報として特殊ビットパターンＢを繰り返して連続的にルートＡまたはルートＢに向けて送信する。また特殊ビットパターンＢを受信した場合には、これに応じて特殊ビットパターンＢとは異なる特殊ビットパターンＡを繰り返して連続的にルートＡまたはルートＢに向けて送信する。
【００３１】
ここに、特殊ビットパターンＡは図３（ａ）に示す構成であり、これは実施の形態１の場合と同じである。また特殊ビットパターンＢは図３（ｂ）に示すように、「０１１１１１１０００００００００」（１６ビット）からなる。つまり、「０１１１１１１０」のビット配列からなるフラグパターンＦと、ノーマーク状態（オール“０”）のビット配列からなるパターンＮとを１組として構成されている。
【００３２】
なお、この特殊ビットパターンＢのビット配列「０１１１１１１０００００００００」を受信した場合、規定のフレーム長よりも短いショートフレームとしてエラー検出されるため、各入出力手段２１、２２の受信部Ｒは、パターンＮ（８ビット）のノーマーク状態（オール“０”）をマーク状態（オール“１”）に変換してデータ生成部２３に与えるようになっている。
【００３３】
また、この実施の形態２において、ループバック制御手段２５は、ルートＡまたはルートＢを通じて特殊ビットパターンＢを受信し、かつ１次局装置１０から送られてくるループバック命令を受信した時に、中継手段２４のスイッチ回路２４１を切替えてループバックを行うように構成されている。
なお、１次局装置１０および２次局装置のその他の構成は、実施の形態１の場合と同様であるからここでは詳しい説明は省略する。
【００３４】
次に、この実施の形態２の２重ループ型ネットワークシステムにおいて、図９に示すように、ある１つの２次局装置１２の両受信部Ｒに連なるルートＡの通信路１０２とルートＢの通信路２０２の双方に障害が同時に発生した場合を例にとって、その障害復旧動作を説明する。
【００３５】
図９に示すように２次局装置１２の両ループ伝送路の通信路１０２、２０２の双方の通信路で障害が発生し、フレーム監視回路がＣＤ断は検出しないが、フレーム不受信を検出すると、２次局装置１２のデータ生成手段２３はこれに応じて双方向のループに対して通信が不可能なことを示すために、下流の通信路２０３、１０３に特殊ビットパターンＢを送出する、と共に両ループ伝送路の信号状態をＣＤ断状態とする。
ルートＢの通信路２０３からこの特殊ビットパターンＢを受信した２次局装置１１は、その特殊ビットパターンＢを受信すると、データ生成手段２３が入出力手段２１の送信部Ｓを介してルートＢの通信路２０４に特殊ビットパターンＡを送出する。
同様にルートＡの通信路１０３からこの特殊ビットパターンＢを受信した２次局装置１３は、その特殊ビットパターンＢを受信すると、データ生成手段２３が入出力手段２２の送信部Ｓを介してルートＡの通信路１０４に特殊ビットパターンＡを送出する。
【００３６】
なお、２次局装置１２が通信路２０３および通信路１０３から特殊ビットパターンＢを送出している間、下流の２次局装置１１および１３は、正常なフレームを受信することができなくなるため、２次局装置１１、１３では特殊ビットパターンＢを受信している間は、フレーム受信間隔の監視機能を無効にする。
【００３７】
ルートＡ、Ｂの各通信路１０４、２０４に送信された特殊ビットパターンＡは、１次局装置１０で共に受信される。このため１次局装置１０は、実施の形態１と同様、ＡおよびＢループ伝送路の双方に障害が起きていることを認識できる。
こうして、ＳＤＬＣ伝送方式においては、２次局装置が自発的に自己のタイミングでループ伝送路に通常のデータ伝送をすることなく、１次局装置１０へ伝送路に障害が起きていることを通知することができ、１次局装置１０にてすぐに伝送路の障害を迂回するべき復旧処置を実行することができる。
【００３８】
図１０は１次局装置１０がルートＡ、Ｂの双方のループ伝送路で障害が発生していることを認識し、「ループバック命令」を送出した場合の図である。１次局装置１０はループバック制御部２５からＡループ伝送路の通信路１０１とＢループ伝送路の通信路２０１に「ループバック命令」を送出する。
ルートＡの通信路１０１から「ループバック命令」を受け取った２次局装置１１は、この「ループバック命令」をループバック制御部２５に取り込む。ループバック制御部２５は、既にルートＢの通信路２０３から特殊ビットパターンＢを受信しているので、隣接する２次局装置１２には送信ができないと判断して、自装置内でループバック制御を行う。このループバック制御は、中継手段２４のスイッチ回路を切替えてルートＡの通信路１０１とルートＢの通信路２０４とを接続することで完了する。
【００３９】
同様に、ルートＢの通信路２０１から「ループバック命令」を受け取った２次局装置１３は、この「ループバック命令」をループバック制御部２５に取り込む。ループバック制御部２５は、既にルートＡの通信路１０３から特殊ビットパターンＢを受信しているので、隣接する２次局装置１２には送信ができないと判断して、自装置内でループバック制御を行う。このループバック制御は、中継手段２４のスイッチ回路を切替えてルートＡの通信路１０４とルートＢの通信路２０１とを接続することで完了する。
【００４０】
つまり、特殊ビットパターンＢを受信し、かつ「ループバック命令」を受信した２次局装置１１、１３のみがループバック制御を行う。したがって、最終的には図１１に示すように、フレーム不受信を検出した２次局装置１２を挟む前後の２次局装置１１、１３においてそれぞれデータ伝送がループバックされるようになり、迅速に通信が復旧される。
【００４１】
このように、この実施の形態２では、１つの２次局装置１２の各入出力手段２１、２２の受信部Ｒに連なるルートＡ、Ｂの各通信路１０２、２０２の双方にフレーム不受信の障害が同時に発生した場合、２次局装置が自発的に通常のデータ伝送とは非同期に特殊パターンＢを送信するので、１次局装置１０は、各ルートＡ、Ｂの障害発生を短時間の内に検出することが出来る。しかも１次局装置１０は、各ルートＡ、Ｂの障害を検出してループバックを行う際、単にループバック命令を各ルートＡ、Ｂに送出するだけでよく、障害発生箇所を具体的に特定する必要はないので、１次局装置１０の処理負担を軽減すると共に、迅速に通信を復旧できるようになる。
【００４２】
更に、上述の実施の形態１ではフレーム不受信を検出した２次局装置から送信される特殊ビットパターンＡは、そのまま順次２次局装置によって中継されるため、どの箇所で障害が発生したのかを判別し難いのに対して、この実施の形態２では、特殊ビットパターンＢは、障害によりフレーム不受信が検出された２次局装置１２でのみ発生され、他の２次局装置１１、１３はこの特殊ビットパターンＢとは異なる特殊ビットパターンＡを送信するので、どの通信路で障害が発生したかを切り分けることが容易になる。
【００４３】
なお、上記の実施の形態１、２では、２次局装置が３台設けられている場合を例にとって説明したが、２次局装置の数はこのような台数に限定されるものではないことは勿論である。また、各実施の形態１、２における障害発生箇所は一例であって、このような場合に限定されるものでないこと勿論である。
さらに、実施の形態１、２に使用された特殊ビットパターンＡとして「０１１１１１１００１１１１１１０」、特殊ビットパターンＢとして「０１１１１１１０００００００００」で構成される場合について説明したが、これに限定されるものではなく、固定ビット配列であれば任意のビットパターンを選択することが可能である。
【図面の簡単な説明】
【００４４】
【図１】この発明の実施の形態１における２重ループ型ネットワークシステムの全体構成を示すブロック図である。
【図２】この発明の実施の形態１における２次局装置の構成を示すブロック図である。
【図３】２次局装置から障害発生検出時に送出される特殊ビットのパターンの一例を示す説明図である。
【図４】この発明のネットワークシステムにおけるフレームフォーマットの説明図である。
【図５】この発明の実施の形態１においてＡループ伝送路に障害が発生した場合の検出動作を示した図である。
【図６】この発明の実施の形態１においてＡ、Ｂループ伝送路に障害が発生した場合の検出動作を示した図である。
【図７】この発明の実施の形態１において１次局装置によるループバック制御動作を示した図である。
【図８】この発明の実施の形態１においてループバック制御完了を示した図である。
【図９】この発明の実施の形態２において２次局装置で両系受信異常が発生した場合の障害検出動作を示した図である。
【図１０】この発明の実施の形態２において両系受信異常時の１次局装置によるループバック制御動作を示した図である。
【図１１】この発明の実施の形態２において両系受信異常時の１次局装置によるループバック制御完了後を示した図である。
【符号の説明】
【００４５】
１０：１次局装置                    １１〜１３：２次局装置
２１、２２：入出力手段              ２３：データ生成手段
２４：中継手段                      ２５：ループバック制御部
２３１：ＣＤ断検出部                ２３２：特殊パターン発生部
２３３：フレーム監視回路            ２４１：スイッチ回路
２５１：特殊パターン検出部          ２５２：ループバック命令受信部
２５３：切替制御部                  ２５４：ＣＤ断検出部
１０１〜１０４：通信路              ２０１〜２０４：通信路
【図１】
2008011156.tif 000003
【図２】
2008011156.tif 000004
【図３】
2008011156.tif 000005
【図４】
2008011156.tif 000006
【図５】
2008011156.tif 000007
【図６】
2008011156.tif 000008
【図７】
2008011156.tif 000009
【図８】
2008011156.tif 000010
【図９】
2008011156.tif 000011
【図１０】
2008011156.tif 000012
【図１１】
2008011156.tif 000013